(57)【特許請求の範囲】
【請求項１】
ハンドル部、前記ハンドル部の先端に延設されたネック部、及び前記ネック部の先端に設けられたヘッド部が一体に形成されたハンドル体と、前記ヘッド部の植毛面に植設された複数の毛束と、を備える歯ブラシにおいて、
前記ハンドル部は、ショアＡ硬度が９０超の硬質樹脂で形成された棒状のハンドル芯部と、前記ハンドル芯部の外側に前記硬質樹脂よりもショアＡ硬度が低い軟質樹脂で形成された軟質部と、を備え、
前記ハンドル部中の前記ハンドル芯部の体積ＶＡに対する前記軟質部の体積ＶＢの比（ＶＢ／ＶＡ）が１超であり、
前記ハンドル部の軸方向において、前記ハンドル部の軸方向に垂直な断面の総断面積に対する前記ハンドル芯部の断面積の割合Ｑが最小になる部分が、当該割合Ｑが最大になる部分よりも後端側に位置し、
前記ハンドル部における、少なくとも前記割合Ｑが最大になる部分から前記ハンドル芯部の後端までにおいて、前記ハンドル芯部が前記ネック部側から後端に向かって細くなり、かつ前記軟質部の厚さが前記ネック部側から後端に向かって厚くなっている、歯ブラシ。
【請求項２】
前記ハンドル部の軸方向に三等分し、ネック側領域、中間領域及び後端側領域としたとき、前記後端側領域における前記割合Ｑが最大となる部分の割合ＱＣが、０〜５０％である、請求項１に記載の歯ブラシ。
【請求項３】
前記ハンドル芯部が先端から後端に向かって細くなり、
前記ネック側領域における前記割合Ｑが最大となる部分の割合ＱＡが、７０〜１００％である、請求項２に記載の歯ブラシ。
【発明の詳細な説明】
【技術分野】
【０００１】
本発明は、歯ブラシに関する。
【背景技術】
【０００２】
一般に歯ブラシは、棒状のハンドル部、前記ハンドル部の先端から延設されたネック部、及び前記ネック部の先端に設けられたヘッド部を備えるハンドル体と、前記ヘッド部に植設された複数の毛束と、を備えている。一般的な歯ブラシにおいては、ブラッシング時にハンドル部が過度に撓むことを抑制し、毛束から歯に充分に力を与えることができるように、ハンドル体が硬質樹脂で形成されている。
【０００３】
歯ブラシにおいては、滑り止め効果を付与するために、硬質樹脂で形成したハンドル部の表面に軟質樹脂による軟質部を形成することも提案されている（特許文献１、２）。該歯ブラシにおいても、ハンドル体全体としては充分な剛性を確保するため、ハンドル部に占める硬質樹脂の割合は、軟質樹脂の割合と比較して高くされている。
【先行技術文献】
【特許文献】
【０００４】
【特許文献１】特開２００６−２０２号公報
【特許文献２】特許第３１６２５７３号公報
【発明の概要】
【発明が解決しようとする課題】
【０００５】
しかし、このような歯ブラシは、ハンドル体の剛性が高く撓みにくいために操作性に優れるものの、表面が硬いためにハンドル部を手で握ったときにハンドル部と手の接触面積が小さくなる傾向がある。その結果、ブラッシング中に手指が滑って歯ブラシの操作を誤ることがある。
【０００６】
本発明は、優れた操作性を確保しつつ、手で握ったときにはハンドル部における手指が触れている部分が手指に追従して変形し、フィット感に優れ、しっかりと握りやすい歯ブラシを提供することを目的とする。
【課題を解決するための手段】
【０００７】
本発明は、以下の構成を有する。
［１］ハンドル部、前記ハンドル部の先端に延設されたネック部、及び前記ネック部の先端に設けられたヘッド部が一体に形成されたハンドル体と、前記ヘッド部の植毛面に植設された複数の毛束と、を備える歯ブラシにおいて、前記ハンドル部は、ショアＡ硬度が９０超の硬質樹脂で形成された棒状のハンドル芯部と、前記ハンドル芯部の外側に前記硬質樹脂よりもショアＡ硬度が低い軟質樹脂で形成された軟質部と、を備え、前記ハンドル部中の前記ハンドル芯部の体積ＶＡに対する前記軟質部の体積ＶＢの比（ＶＢ／ＶＡ）が１超である、歯ブラシ。
［２］前記ハンドル部の軸方向において、前記ハンドル部の軸方向に垂直な断面の総断面積に対する前記ハンドル芯部の断面積の割合が最小になる部分が、当該割合が最大になる部分よりも後端側に位置する、［１］に記載の歯ブラシ。
［３］前記ハンドル芯部が前記ネック部側から後端に向かって細くなっている、［１］又は［２］に記載の歯ブラシ。
【発明の効果】
【０００８】
本発明の歯ブラシは、優れた操作性が確保されつつ、手で握ったときにはハンドル部における手指が触れている部分が手指に追従して変形するため、フィット感に優れ、しっかりと握りやすい。
【図面の簡単な説明】
【０００９】
【図１】本発明の歯ブラシの一例を示した平面図である。
【図２】図１の歯ブラシの断面図であって、図２（Ａ）はＡ−Ａ断面図であり、図２（Ｂ）はＢ−Ｂ断面図であり、図２（Ｃ）はＣ−Ｃ断面図である。
【図３】図１及び図２の歯ブラシの断面図であって、図３（Ａ）は図２のＤ−Ｄ断面図（横断面図）であり、図３（Ｂ）は図１のＥ−Ｅ断面図（縦断面図）である。
【図４】図１の歯ブラシにおけるハンドル部とネック部の近傍を拡大した拡大図である。
【図５】本発明の歯ブラシの他の例のハンドル部とネック部の近傍を拡大した拡大図である。
【図６】本発明の歯ブラシの他の例を示した断面図であって、図６（Ａ）は横断面図であり、図６（Ｂ）は縦断面図である。
【図７】本発明の歯ブラシの他の例を示した断面図であって、図７（Ａ）は横断面図であり、図７（Ｂ）は縦断面図である。
【図８】本発明の歯ブラシの他の例を示した断面図であって、図８（Ａ）は横断面図であり、図８（Ｂ）は縦断面図である。
【発明を実施するための形態】
【００１０】
以下、本発明の歯ブラシの一例を示して説明する。
本実施形態の歯ブラシ１は、図１〜４に示すように、ハンドル体１０と、ハンドル体１０に植設された複数の毛束１２とを備える。
【００１１】
［ハンドル体］
ハンドル体１０は、棒状のハンドル部１４と、ハンドル部１４の先端に延設され、ハンドル部１４よりも細いネック部１６と、ネック部１６の先端に設けられ、複数の毛束１２が植設されるヘッド部１８と、を備えている。
この例のハンドル部１４とネック部１６とは、それらの境界部分の平面視における両側の外縁１５ａ，１５ｂが、ハンドル部１４からネック部１６にかけて徐々に近づく、変曲点ａ，ｂを有する曲線状となるように一体に形成されている。このように、ハンドル部１４とネック部１６の境界部分においては、ハンドル部１４からネック部１６にかけて幅が徐々に狭くなっている。
【００１２】
（ハンドル部）
ハンドル部１４は、ブラッシング時に手で握られる部分であり、棒状のハンドル芯部２０と、ハンドル芯部２０の表面に形成された軟質部２２と、を備えている。ハンドル芯部２０は、硬質樹脂で形成されている。軟質部２２は、軟質樹脂で形成されている。
なお、本発明においては、硬質樹脂とは、ショアＡ硬度が９０超の樹脂を意味する。また、軟質樹脂とは、硬質樹脂よりもショアＡ硬度が低い樹脂、すなわちショアＡ硬度が９０以下の樹脂を意味する。
【００１３】
この例のハンドル部１４は、軸方向（長さ方向）に垂直な断面形状が矩形の角部が丸く切り欠かれた柱状になっている。
ハンドル部１４の太さ及び長さは、歯ブラシ１を使用する対象者に応じて適宜設計できる。この例のハンドル部１４の太さは、ネック部１６側の端部が徐々に縮径し、後端が丸みを帯びている以外は、軸方向にほぼ一定になっている。
ハンドル部の断面形状は、前記した形状には限定されず、例えば、矩形状、円形状等であってもよい。
【００１４】
この例のハンドル芯部２０は、軸方向に垂直な断面形状が矩形の角部が丸く切り欠かれた形状で、かつネック部１６側から後端に向かって徐々に縮径した柱状になっている。
ハンドル芯部２０の太さ及び長さは、ハンドル部１４の太さ及び長さに応じて適宜設計することができる。この例のハンドル芯部２０は、ハンドル部１４における先端から後端寄りの部分まで形成されている。
【００１５】
ハンドル芯部の断面形状は、前記した形状には限定されず、例えば、矩形状、円形状等であってもよい。
ハンドル芯部の軸方向の長さは、本発明の効果を損なわない範囲であれば、特に限定されない。
【００１６】
ハンドル芯部２０の外周面は、全て軟質部２２で覆われている。このように、本発明では、ハンドル芯部の外周面が全て軟質部で覆われていることが好ましい。これにより、手で握ったときに、ハンドル部における手指が触れている軟質部の形状が手指に追従して変形し、しっかりと握れる効果が充分に得られやすい。なお、本発明の効果を損なわない範囲であれば、ハンドル芯部の外周面に軟質部で覆われていない部分が存在していてもよい。
この例では、ハンドル芯部２０の後端は、軟質部２２に覆われた状態になっている。なお、本発明では、ハンドル芯部の後端は露出していてもよい。ハンドル芯部の後端は露出していても、本発明の効果に悪影響は及ぼさない。
【００１７】
本発明においては、ハンドル部中のハンドル芯部の体積ＶＡに対する軟質部の体積ＶＢの比（ＶＢ／ＶＡ）は、１超とされる。これにより、手で握ったときにハンドル部における手指が触れている軟質部の形状が手指に追従して変形する効果により、ハンドル部をしっかりと握ることができる。また、ハンドル部の柔軟性が高くなることで、ハンドル部を握る際に過剰に力がかかっても、その力が軟質部の凹みによって吸収されるため、ヘッド部の毛束から歯に与えられる力を緩和することができる。そのため、ブラッシング時に誤って歯に過剰な力を与えてしまうことを抑制できる。
ＶＢ／ＶＡは、１超１０以下が好ましく、１超７以下がより好ましい。ＶＢ／ＶＡが下限値以上であれば、ハンドル部を手で握ったときのフィット感が向上する。ＶＢ／ＶＡが上限値以下であれば、ブラッシング時の歯ブラシの操作性が向上する。
【００１８】
なお、本発明では、本実施形態のように、ハンドル部とネック部の境界部分が曲線的に滑らかに形成され、ハンドル部とネック部の境界が明瞭に区別できない場合においては、以下のようにハンドル部を規定して、ハンドル芯部の体積ＶＡ及び軟質部の体積ＶＢをそれぞれ測定するものとする。
【００１９】
歯ブラシ１を例に説明する。図４に示すように、ハンドル体１０の軸方向をｘ軸とする。このとき、ｘ軸は、ハンドル体１０の先端から後端に向かう方向を正とする。
また、平面視でハンドル体１０における軸方向に直交する幅方向をｙ軸とする。このとき、ｙ軸は、ハンドル部１４とネック部１６の境界部分の平面視における、それぞれの外縁１５ａ，１５ｂについて、ハンドル体１０の中心軸から遠ざかる方向を正とする。すなわち、図４におけるハンドル部１４とネック部１６の境界部分の上側の外縁１５ａについては、ｙ軸は上方向が正となるように決める。図４におけるハンドル部１４とネック部１６の境界部分の下側の外縁１５ｂについては、ｙ軸は下方向が正となるように決める。
【００２０】
このようにｘ軸とｙ軸を決め、ハンドル部１４とネック部１６の境界部分において、両側の外縁１５ａ，１５ｂのそれぞれが、軸方向に対する幅方向の変化率（１次微分）が正（ｄｙ／ｄｘ＞０）で、かつ、前記変化率の変化率（２次微分）が負（ｄ２ｙ／ｄ２ｘ＜０）となる領域をハンドル部とする。すなわち、ハンドル部１４とネック部１６の境界部分において、外縁１５ａについて１次微分が正（ｄｙ／ｄｘ＞０）で２次微分が０（ｄ２ｙ／ｄ２ｘ＝０）になる部分の最も後端側の位置と、外縁１５ｂについて１次微分が正（ｄｙ／ｄｘ＞０）で２次微分が０（ｄ２ｙ／ｄ２ｘ＝０）になる部分の最も後端側の位置とを結んだ直線を、ハンドル部１４とネック部１６の境界線とする。
【００２１】
本実施形態のハンドル体１０では、ハンドル部１４とネック部１６の境界部分において、平面視での外縁１５ａの変曲点ａ（ｄｙ／ｄｘ＞０かつｄ２ｙ／ｄ２ｘ＝０）と、外縁１５ｂの変曲点ｂ（ｄｙ／ｄｘ＞０かつｄ２ｙ／ｄ２ｘ＝０）を結んだ直線Ｌを、ハンドル部１４とネック部１６の境界線とする。ハンドル部１４とネック部１６の境界部分における直線Ｌよりも後端側は、外縁１５ａと外縁１５ｂのいずれについても、ｄｙ／ｄｘ＞０かつｄ２ｙ／ｄ２ｘ＜０となる。
【００２２】
本発明の歯ブラシにおけるハンドル部とネック部が明瞭に区別できる場合には、ハンドル芯部の体積ＶＡ及び軟質部の体積ＶＢの測定において前記したようなハンドル部の規定は必要ない。例えば、図５に例示したように、平面視におけるハンドル部１４とネック部１６の境界部分の両側の外縁に屈曲点ｃ，ｄが形成されている場合は、それら屈曲点同士を結ぶ線をハンドル部とネック部の境界線とすることができる。
【００２３】
本発明では、ハンドル部の軸方向に垂直な断面の総断面積に対するハンドル芯部の断面積の割合を割合Ｑとしたとき、ハンドル部の軸方向において、割合Ｑが最小になる部分が割合Ｑが最大になる部分よりも後端側に位置することが好ましい。本実施形態では、ハンドル部１４の太さが軸方向にほぼ同じで、かつハンドル芯部２０がネック部１６側から後端に向かって徐々に縮径している。そのため、歯ブラシ１においては、ハンドル部１４のネック部１６側の端部で割合Ｑが最大になっており、ハンドル部１４の後端において割合Ｑが最小になっている。
【００２４】
ハンドル部がこのような態様になっていることで、ハンドル部におけるネック部寄りの部分の剛性を高く保ちつつ、ハンドル部における後端寄りの部分の柔軟性を高めることが容易になる。剛性の高いハンドル部のネック部寄りの部分を人差し指と親指で摘まんでその部分を支点に歯ブラシを操作することで、ブラッシング時の歯ブラシの操作性が向上する。これにより、歯ブラシの向きや角度を調節することがより容易になる。加えて、残りの指で柔軟性の高い後端寄りの部分を握ることで、それらの指が触れた部分が充分に凹むうえ、ハンドル部の後端側が充分に撓むことで、小指への巻き込み感が向上し、より良好なフィット感が得られる。このように、歯ブラシの操作性とフィット感とをより高度に両立させることができる。
また、ハンドル部における後端寄りの部分の柔軟性が高いことで、その部分を握る際に過剰に力がかかっても、その力が軟質部の凹みによって充分に吸収されるため、ヘッド部の毛束から歯に与えられる力を緩和する効果がより高くなる。そのため、ブラッシング時に誤って歯に過剰な力を与えてしまうことをより抑制することができる。
【００２５】
ハンドル部の軸方向において、割合Ｑが最小になる部分を割合Ｑが最大になる部分よりも後端側に位置させる態様としては、この例のように、ハンドル芯部がネック部側から後端に向かって細くなる態様が好ましい。これにより、歯ブラシの操作性とフィット感とをより高度に両立させる効果が得られやすくなる。また、この場合、ハンドル芯部がネック部側から後端に向かって徐々に細くなる態様であってもよく、ハンドル芯部がネック部側から後端に向かって段階的に細くなる態様であってもよい。なかでも、ハンドル芯部がネック部側から後端に向かって徐々に細くなる態様がより好ましい。
なお、ハンドル部の軸方向において、割合Ｑが最小になる部分を割合Ｑが最大になる部分よりも後端側に位置させる場合、ハンドル部における割合Ｑが最小になる部分よりも後端側に、割合Ｑが最小値よりも大きい部分があってもよい。
【００２６】
本発明では、ハンドル部を軸方向に三等分し、ネック側領域、中間領域及び後端側領域とした場合、ネック側領域において割合Ｑが最大となる部分の割合ＱＡは、７０〜１００％が好ましく、７５〜９０％がより好ましい。前記割合ＱＡが下限値以上であれば、ブラッシング時にハンドル部に加えた力が植毛部に効率よく伝わるため歯ブラシの操作性が向上する。前記割合ＱＡが上限値以下であれば、手で握ったとき、手指と軟質樹脂が接触するためフィット感が向上する。
なお、割合ＱＡが１００％であるとは、その部分においてハンドル芯部が周方向に全体にわたって露出していることを意味する。
【００２７】
中間領域において割合Ｑが最大となる部分の割合ＱＢは、１０〜８０％が好ましく、２０〜７０％がより好ましい。前記割合ＱＢが下限値以上であれば、ブラッシング時の歯ブラシの操作性が向上する。前記割合ＱＢが上限値以下であれば、手で握ったときのフィット感が向上する。
【００２８】
後端側領域において割合Ｑが最大となる部分の割合ＱＣは、０〜５０％が好ましく、１０〜４０％がより好ましい。前記割合ＱＣが下限値以上であれば、ブラッシング時の歯ブラシの操作性が向上する。前記割合ＱＣが上限値以下であれば、手でハンドルを握りこんだ時に薬指や小指の湾曲にハンドルが追従しフィット感が向上する。
なお、割合ＱＣが０％であるとは、その部分にはハンドル芯部が存在せず軟質部のみで形成されていることを意味する。
【００２９】
＜材料＞
ハンドル芯部を形成する硬質樹脂としては、ショアＡ硬度が９０超の樹脂を使用することができる。硬質樹脂の具体例としては、例えば、ポリプロピレン、ポリエチレンテレフタレート、ポリブチレンテレフタレート、ポリシクロへキシレンジメチレンテレフタレート、ポリアセタール、ポリスチレン、アクリロニトリル・ブタジエン・スチレン樹脂、セルロースプロピオネート、ポリアリレート、ポリカーボネート、アクリロニトリル・スチレン共重合樹脂等のうち、ショアＡ硬度が９０超の樹脂が挙げられる。なかでも、歯ブラシの品質確保の点から、ショアＡ硬度が９０超のポリプロピレン、ポリシクロへキシレンジメチレンテレフタレート、ポリアセタール、ポリブチレンテレフタレートが好まししい。
硬質樹脂としては、１種を単独で使用してもよく、２種以上を組み合わせて使用してもよい。
【００３０】
ハンドル芯部は、軟質樹脂に発泡剤を配合して発泡させた発泡樹脂により形成してもよい。発泡剤としては、特に限定されず、公知の化学発泡剤や物理発泡剤を使用することができる。
【００３１】
軟質部を形成する軟質樹脂としては、硬質樹脂よりも軟らかい樹脂、すなわちショアＡ硬度が９０以下の樹脂を使用することができる。軟質樹脂の具体例としては、例えば、ポリオレフィン系エラストマー、スチレン系エラストマー、ポリエステル系エラストマー等のエラストマー樹脂のうち、ショアＡ硬度が９０以下の樹脂が挙げられる。歯ブラシ使用時の手へのフィット性と樹脂としての品質確保の点から、軟質樹脂のショアＡ硬度は、３０〜７０が好ましい。
なお、ショアＡ硬度は、ＪＩＳ  Ｋ  ７２１５に準拠して測定される硬度を意味する。
軟質樹脂としては、１種を単独で使用してもよく、２種以上を組み合わせて使用してもよい。
【００３２】
軟質部は、軟質樹脂に発泡剤を配合して発泡させた発泡樹脂により形成してもよい。発泡剤としては、特に限定されず、公知の化学発泡剤や物理発泡剤を使用することができる。
【００３３】
（ネック部、ヘッド部）
ネック部１６は、ハンドル部１４よりも細い円柱状になっており、後端部分がハンドル部１４に向かって徐々に拡径し、先端部分がヘッド部１８に向かって徐々に拡径している。
【００３４】
ヘッド部１８は、ネック部１６の先端に設けられた、複数の毛束１２を植設する部分である。ヘッド部１８における上面が、毛束１２を植設する植毛面１８ａとされている。ヘッド部１８の形状は、平面視で軸方向に長い矩形の角部が丸く切り欠かれたような板状になっている。
ヘッド部１８の長さ、幅及び厚さは、特に限定されず、歯ブラシ１を使用する対象者に応じて適宜設計することができる。
【００３５】
ネック部１６及びヘッド部１８は、硬質樹脂により形成される。ネック部１６及びヘッド部１８を形成する硬質樹脂としては、例えば、ハンドル芯部２０を形成する硬質樹脂として挙げたものと同じものが挙げられる。ネック部１６及びヘッド部１８を形成する硬質樹脂としては、１種を単独で使用してもよく、２種以上を組み合わせて使用してもよい。
ネック部１６及びヘッド部１８を形成する硬質樹脂は、ハンドル芯部２０を形成する硬質樹脂と同じであることが好ましい。なお、ネック部１６及びヘッド部１８を形成する硬質樹脂は、ハンドル芯部２０を形成する硬質樹脂と異なっていてもよい。
【００３６】
［毛束］
毛束１２としては、特に限定されず、公知の毛束を採用することができる。毛束１２は、円柱状でもよく、角柱状でもよい。毛束１２の毛丈及び太さは、毛束１２に求められる毛腰等を勘案して決定することができる。
【００３７】
毛束１２を構成する用毛としては、特に限定されず、公知の用毛を採用することができ、毛先が先鋭化されたテーパー毛であってもよく、植毛面１８ａから毛先に向かいその径がほぼ同一であるストレート毛であってもよい。用毛の横断面形状は、特に限定されず、円形、多角形等が挙げられる。
用毛の材質としては、特に限定されず、例えば、ポリアミド（６−１２ナイロン等）、ポリエステル（ポリエチレンテレフタレート等）、ポリオレフィン（ポリプロピレン等）等が挙げられる。
用毛の太さは、材質等を勘案して決定することができ、横断面が円形の場合、例えば、６〜９ｍｉｌ（１ｍｉｌ＝１／１０００ｉｎｃｈ＝０．０２５ｍｍ）とされる。
【００３８】
ヘッド部１８の植毛面１８ａに毛束１２を植設する態様は、特に限定されない。この例では、植毛面１８ａの先端寄りと後端寄りに、それぞれ幅方向に２本の毛束１２が植設され、それらの間の領域に幅方向に３本の毛束１２が並び、かつ軸方向に４本の毛束１２が並ぶように１２本の毛束１２が植設されている。
【００３９】
［製造方法］
本発明の歯ブラシの製造方法は、特に限定されず、公知の方法を採用できる。
ハンドル体を製造する方法としては、例えば、一次金型を用いた硬質樹脂の射出成形によってハンドル芯部、ネック部及びヘッド部を一体に成形し、その成形物を二次金型内に配置した状態で軟質樹脂を射出し、軟質部を成形してハンドル体を得る方法が挙げられる。
ハンドル体のヘッド部に毛束を植設する方法としては、例えば、平線式植毛法、熱溶着式植毛法、インモールド法等が挙げられる。
【００４０】
以上説明した本発明の歯ブラシにおいては、硬質樹脂で形成されたハンドル芯部を備えるため、優れた操作性が確保されている。また、本発明の歯ブラシにおいては、ハンドル芯部の外側に軟質樹脂で形成された軟質部を備え、かつＶＢ／ＶＡが１超であることで、手で握ったときにはハンドル部における手指が触れている軟質部が手指に追従して充分に変形するため、フィット感に優れ、しっかりと握りやすい。このように、本発明の歯ブラシにおいては、優れた操作性と優れたフィット感とが両立される。
【００４１】
また、本発明では、ハンドル芯部の外側にＶＢ／ＶＡが１超となるように軟質部が形成されるため、ハンドル部を握る際に過剰に力がかかっても、軟質部の凹みによってその力が緩和されるため、ブラッシング時に誤って歯に過剰な力が加わることも抑制できる。そのため、本発明の歯ブラシは、習慣的に高いブラッシング圧で刷掃を行った結果、楔状欠損や歯肉退縮が生じた使用者にも有効である。
【００４２】
また、本発明の歯ブラシにおいては、ハンドル芯部の外側にＶＢ／ＶＡが１超となるように軟質部を形成することで、ネック部やハンドル部に屈曲可能な構造を設けたり、ハンドル芯部を過度に細くしたりしなくても前記した効果が得られる。そのため、ブラッシング時にハンドル体が大きく変形したり、破折が生じたりすることで使用性が低下することも抑制できる。
【００４３】
なお、本発明の歯ブラシは、前記した歯ブラシ１には限定されない。
例えば、本発明の歯ブラシは、図６に例示した歯ブラシ２であってもよい。図６における図３と同じ部分は同符号を付して説明を省略する。歯ブラシ２は、ハンドル芯部２０の代わりにハンドル芯部２０Ａを備えるハンドル部１４Ａを備える以外は、歯ブラシ１と同じである。ハンドル芯部２０Ａは、その軸方向の長さがハンドル部１４Ａの軸方向の長さに対して２／３になっている以外はハンドル芯部２０と同じである。
歯ブラシ２においても、ハンドル芯部２０Ａの外側にＶＢ／ＶＡが１超となるように軟質部２２が形成されたハンドル部１４Ａを備えることで、優れた操作性と優れたフィット感とが両立される。
【００４４】
本発明の歯ブラシは、図７に例示した歯ブラシ３であってもよい。図７における図３と同じ部分は同符号を付して説明を省略する。歯ブラシ３は、ハンドル芯部２０の代わりにハンドル芯部２０Ｂを備えるハンドル部１４Ｂを備える以外は、歯ブラシ１と同じである。ハンドル芯部２０Ｂは、その軸方向の長さがハンドル部１４Ｂの軸方向の長さに対して１／３になっている以外はハンドル芯部２０と同じである。
歯ブラシ３においても、ハンドル芯部２０Ｂの外側にＶＢ／ＶＡが１超となるように軟質部２２が形成されたハンドル部１４Ｂを備えることで、優れた操作性と優れたフィット感とが両立される。
【００４５】
本発明の歯ブラシは、図８に例示した歯ブラシ４であってもよい。図８における図３と同じ部分は同符号を付して説明を省略する。歯ブラシ４は、ハンドル芯部２０の代わりにハンドル芯部２０Ｃを備えるハンドル部１４Ｃを備える以外は、歯ブラシ１と同じである。ハンドル芯部２０Ｃは、平面視での幅が軸方向においてネック側から後端まで同一で、かつ厚さがネック側から後端に向かって徐々に薄くなり、後端寄りで後端に向かうにつれて厚くなっている以外はハンドル芯部２０と同じである。ハンドル芯部２０Ｃの後端面は露出している。
歯ブラシ４においても、ハンドル芯部２０Ｃの外側にＶＢ／ＶＡが１超となるように軟質部２２が形成されたハンドル部１４Ｃを備えることで、優れた操作性と優れたフィット感とが両立される。
【符号の説明】
【００４６】
１〜４  歯ブラシ
１０  ハンドル体
１２  毛束
１４，１４Ａ〜１４Ｃ  ハンドル部
１６  ネック部
１８  ヘッド部
１８ａ  植毛面
２０，２０Ａ〜２０Ｃ  ハンドル芯部
２２  軟質部
【図１】
0006512703.tif 000002
【図２】
0006512703.tif 000003
【図３】
0006512703.tif 000004
【図４】
0006512703.tif 000005
【図５】
0006512703.tif 000006
【図６】
0006512703.tif 000007
【図７】
0006512703.tif 000008
【図８】
0006512703.tif 000009